(57)【要約】【課題】従来、コンバーゼンス出力回路においては、ポンプアップ電圧の電源ライン保護ヒューズが切れていたとしても、それを検知することは容易ではないという問題があった。【解決手段】カラー受像管５０のコンバーゼンス補正用の信号を発生するコンバーゼンス補正信号発生回路１０と、高低２種類の電源電圧Ｖｃｃ２、Ｖｃｃ１を切り換えて出力する電源切換回路３０、４０と、コンバーゼンス補正信号発生回路１０から出力されるコンバーゼンス補正信号を電源切換回路３０、４０から供給される電源電圧を用いて増幅する増幅回路２１と、電源切換回路３０、４０での高い方の電源電圧Ｖｃｃ２の電圧低下を検出する減電圧検出回路６０とを備え、この減電圧検出回路６０にて高電源電圧Ｖｃｃ２の電圧低下が検出されたときにカラー受像管５０に対し画像表示用の信号入力がなされないようにした。【選択図】  図１
2004207792.tif 000002
【特許請求の範囲】
【請求項１】
カラー受像管のコンバーゼンス補正用の信号を発生するコンバーゼンス補正信号発生回路と、高低２種類の電源電圧を切り換えて出力する電源切換回路と、前記コンバーゼンス補正信号発生回路から出力されるコンバーゼンス補正信号を前記電源切換回路から供給される電源電圧を用いて増幅する増幅回路と、前記電源切換回路での前記高い方の電源電圧の電圧低下を検出する減電圧検出回路とを具備し、前記減電圧検出回路の検出出力により、前記電源切換回路での前記高い方の電源の異常を検知するよう構成したことを特徴とするコンバーゼンス出力装置。
【請求項２】
カラー受像管のコンバーゼンス補正用の信号を発生するコンバーゼンス補正信号発生回路と、高低２種類の電源電圧を切り換えて出力する電源切換回路と、前記コンバーゼンス補正信号発生回路から出力されるコンバーゼンス補正信号を前記電源切換回路から供給される電源電圧を用いて増幅する増幅回路と、前記電源切換回路での前記高い方の電源電圧の電圧低下を検出する減電圧検出回路と、この減電圧検出回路にて前記高電源電圧の電圧低下が検出されたときに前記カラー受像管に対し画像表示用の信号入力がなされないようにする制御手段とを具備したことを特徴とするコンバーゼンス出力装置。
【請求項３】
請求項２記載のコンバーゼンス出力装置において、コンバーゼンス調整用の画像信号を発生可能な回路と、前記カラー受像管に供給される画像表示用の信号を通常画像にかかる信号から前記信号発生回路からのコンバーゼンス調整用の画像信号に切り換える切換手段とを具備し、前記制御手段は、前記減電圧検出回路にて前記高電源電圧の電圧低下が検出されたときに前記切換手段を切り換えて前記カラー受像管に対し通常画像にかかる信号入力がなされないように構成したことを特徴とするコンバーゼンス出力装置。
【発明の詳細な説明】
【０００１】
【発明の属する技術分野】
本発明は、例えば投射型テレビジョン受像機等のコンバーゼンス出力装置に関する。
【０００２】
【従来の技術】
投射型テレビジョン受像機のコンバーゼンス出力回路においては、消費電力を削減するべく通常は低い電圧を使用し、必要に応じて電圧を高い電圧（ポンプアップ電圧）に変更する（ポンプアップ）といった工夫により消費電力の削減を行っている。一方、通常、電源ラインの各々には保護用のヒューズが設けられており、異常時にはこの保護用ヒューズが切れるようにされている。
【０００３】
コンバーゼンス出力回路は、投射型テレビジョン受像機のばらつき等からその出力電圧の波高値は一定ではなく、同一仕様の受像機間でも同一とは限らない。ある受像機では通常の低い電圧でもコンバーゼンス補正が可能であるのに対し、別の受像機ではポンプアップ電圧が無ければコンバーゼンス補正が不可能であるという場合も存在する。前者の受像機の場合、ポンプアップ電圧の電源ライン保護ヒューズが切れていたとしても、それを検知することは容易ではない。このことは、ヒューズ切れが生じている製品が製造ラインから出荷される可能性があるという問題につながる。逆に、後者の受像機の場合は、電源ライン保護用ヒューズのヒューズ切れは表示画面の異常から容易に検出可能である。
【０００４】
通常、投射型テレビジョン受像機のコンバーゼンスは地磁気によりずれが生じる。たとえ製品出荷時に調整を行ったとしても、ユーザーの使用場所では地磁気が相違するためにコンバーゼンスのずれが生じてしまう。このため、コンバーゼンス調整の一部はユーザによる調整が可能とされていることが多い。この場合、ユーザが地磁気の補正を行おうとしてコンバーゼンス調整を行おうとした際に、ポンプアップ電圧が得られないと上記調整が出来ない状況となる。
【０００５】
なお、特許文献１には、帰線期間に対応して電源電圧を切り換えるコンバーゼンス補正回路または垂直偏向回路において、電源電圧の切換に異常を生じた際にメインアンプ部の保護を図る技術が開示されているが、上記の如き問題点については何ら記載がないものである。
【０００６】
【特許文献１】
実開平５−６３１６１号公報
【０００７】
【発明が解決しようとする課題】
以上述べたように、従来のコンバーゼンス出力回路においては、ポンプアップ電圧の電源ライン保護ヒューズが切れていたとしても、それを検知することは容易ではないという問題があった。
【０００８】
本発明はこのような問題点を解決するためになされたもので、ポンプアップ電圧の電源ライン保護ヒューズが切れていたとしても、それを容易に検知することが可能なコンバーゼンス出力装置を提供することを目的とする。
【０００９】
【課題を解決するための手段】
請求項１にかかるコンバーゼンス出力装置は、カラー受像管のコンバーゼンス補正用の信号を発生するコンバーゼンス補正信号発生回路と、高低２種類の電源電圧を切り換えて出力する電源切換回路と、前記コンバーゼンス補正信号発生回路から出力されるコンバーゼンス補正信号を前記電源切換回路から供給される電源電圧を用いて増幅する増幅回路と、前記電源切換回路での前記高い方の電源電圧の電圧低下を検出する減電圧検出回路とを具備し、前記減電圧検出回路の検出出力により、前記電源切換回路での前記高い方の電源の異常を検知するよう構成したことを特徴とするものである。
【００１０】
請求項２にかかるコンバーゼンス出力装置は、カラー受像管のコンバーゼンス補正用の信号を発生するコンバーゼンス補正信号発生回路と、高低２種類の電源電圧を切り換えて出力する電源切換回路と、前記コンバーゼンス補正信号発生回路から出力されるコンバーゼンス補正信号を前記電源切換回路から供給される電源電圧を用いて増幅する増幅回路と、前記電源切換回路での前記高い方の電源電圧の電圧低下を検出する減電圧検出回路と、この減電圧検出回路にて前記高電源電圧の電圧低下が検出されたときに前記カラー受像管に対し画像表示用の信号入力がなされないようにする制御手段とを具備したことを特徴とするものである。
【００１１】
請求項３にかかるコンバーゼンス出力装置は、請求項２記載のコンバーゼンス出力装置において、コンバーゼンス調整用の画像信号を発生可能な回路と、前記カラー受像管に供給される画像表示用の信号を通常画像にかかる信号から前記信号発生回路からのコンバーゼンス調整用の画像信号に切り換える切換手段とを具備し、前記制御手段は、前記減電圧検出回路にて前記高電源電圧の電圧低下が検出されたときに前記切換手段を切り換えて前記カラー受像管に対し通常画像にかかる信号入力がなされないように構成したことを特徴とするものである。
【００１２】
【発明の実施の形態】
以下、本発明になるコンバーゼンス出力装置の実施の形態について図面を用いて説明する。
【００１３】
図１は、本発明になるコンバーゼンスコンバーゼンス出力装置の一実施の形態を示す回路ブロック図であり、投射型テレビジョン受像機に組み込まれたものである。ここで、１０はコンバーゼンス補正信号発生回路、２０はコンバーゼンス補正信号発生回路１０からの補正信号が入力され、コンバーゼンス出力を出力するコンバーゼンス出力回路、３０及び４０はコンバーゼンス出力回路２０を構成する増幅回路２１に供給する電源を切り換える電源切換回路であり、電源切換回路３０は＋側電源（＋Ｖｃｃ１または＋Ｖｃｃ２）を、電源切換回路４０は−側電源（−Ｖｃｃ１または−Ｖｃｃ２）を供給する。電源切換回路３０及び４０は、共に端子３１からの電圧切換タイミング信号により同期して電源が切り換えられる。なお、電源電圧はＶｃｃ２＞Ｖｃｃ１の関係となっている。
【００１４】
５０はカラーピクチャーチューブ（以下、ＣＰＴという）であり、５１はＣＰＴ５０のネック部に装着されるコンバーゼンスヨークであって、そのコイル（図示せず）には、コンバーゼンス出力回路２０からのコンバーゼンス出力が供給される。
【００１５】
６０は減電圧検出回路であって、電源電圧＋Ｖｃｃ２の電圧低下を検出するものである。６１はＯＲ回路であって、減電圧検出回路６０の出力及びコンバーゼンス補正信号発生回路１０に内蔵される調整用オンスクリーンディスプレイ信号（以下、ＯＳＤ信号という）発生回路１１から出力されるＹｓ信号出力が入力されるものである。このＹｓ信号は、後述するＲＧＢ信号処理回路での映像信号の切換に用いられるものである。
【００１６】
６２はＲＧＢ信号処理回路であって、通常は図示せぬ画像表示用信号処理回路からのＲＧＢ信号をＣＰＴ５０に出力するが、ＣＰＴ５０の画像調整を行う場合には調整用ＯＳＤ信号発生回路１１からＯＲ回路６１を介して入力されるＹｓ信号に基づき内部の映像切換回路（図示せず）を切り換えて同じく調整用ＯＳＤ信号発生回路１１から出力されるコンバーゼンス調整用のＲＧＢ信号をＣＰＴ５０に出力する。
【００１７】
次に、図１の装置の動作をコンバーゼンス出力回路２０からのコンバーゼンス出力と電源電圧との関係を示す図２及び図３も用いて説明する。
【００１８】
コンバーゼンス出力はインダクタンス負荷であるために、急峻な電流変化が発生すると、電流の変化の傾きに比例した出力電圧の変化が生じる。通常、コンバーゼンス出力は水平帰線期間に電源を電源切換回路３０、４０によりポンプアップする。電源切換回路３０、４０は通常、電圧の低い電源電圧（±Ｖｃｃ１）を増幅回路２１に供給しているが、上述したように水平帰線期間に合わせて電源を電圧の高い電源電圧（±Ｖｃｃ２）に切り換えている（図２または図３の（Ａ）または（Ｃ）を参照）。なお、端子３１から供給される電圧切換タイミング信号の作成には、上述した理由から水平周期の信号が必要である。
【００１９】
赤、緑、青（ＲＧＢ）の３色を揃えて最終的に良好な画像を生成するために、コンバーゼンス装置が用いられている訳であるが、同一仕様の受像機でも機構系、光学系、その他電磁偏向回路のばらつき等によって、コンバーゼンス出力回路２０の出力は一定とはならない。従って、数多く製造される投射型テレビジョン受像機の中には、電圧が高い±Ｖｃｃ２電源を必要としないものや（コンバーゼンス出力が図２（Ｂ）に示されるような出力の場合）、逆に電圧が高い±Ｖｃｃ２電源を必要とするもの（コンバーゼンス出力が図３（Ｂ）に示されるような出力の場合）が混在することになる。
【００２０】
コンバーゼンス出力回路２０において電圧が高い±Ｖｃｃ２電源を必要とする場合は、何らかの原因で±Ｖｃｃ２の電源回路の保護ヒューズ（図示せず）に異常が発生した場合、投射型テレビジョン受像機の画面が真っ暗になることから、異常を容易に検出することが出来る。
【００２１】
一方、コンバーゼンス出力回路２０において電圧が高い±Ｖｃｃ２電源を必要としない場合でも、何らかの原因で±Ｖｃｃ２の電源回路の保護ヒューズ（図示せず）に異常が発生した場合は、減電圧検出回路６０にて＋Ｖｃｃ２の電圧低下が検出される。これにより減電圧検出回路６０からは、ＯＳＤ信号発生回路１１から出力されるＹｓ信号と同様な信号が出力され、ＯＲ回路６１を介してＲＧＢ信号処理回路６２に入力される。この場合、ＯＳＤ信号発生回路１１からはＲＧＢ信号出力が発生していないため、投射型テレビジョン受像機の画面は真っ暗になる（ＲＧＢ信号処理回路６２内の図示せぬ映像切換スイッチは、コンバーゼンス調整用のＯＳＤ信号を表示するように入力切換がなされるにもかかわらず、ＯＳＤ信号発生回路１１からのＲＧＢ信号入力がないために画面は真っ暗になる）。
【００２２】
従って、本実施の形態によれば、コンバーゼンス出力回路２０において電圧が高い±Ｖｃｃ２電源を必要としない場合でも、何らかの原因で±Ｖｃｃ２の電源回路の保護ヒューズ（図示せず）に異常が発生した場合、投射型テレビジョン受像機の画面が真っ暗になることで、上記異常を容易に検出することが出来る。
【００２３】
ここで、図１の装置の減電圧検出回路６０及びＯＲ回路６１は、例えば以下のような回路構成とすれば良い。図４は、図１の装置の減電圧検出回路６０及びＯＲ回路６１の一実施態様を示す回路図である。図中、ＺＤは電源＋Ｖｃｃ２に接続されるツェナーダイオード、Ｒｚはドライブ抵抗、Ｒｂ、Ｒｂｅ，Ｒｃは抵抗、Ｔｒはトランジスタ、Ｄ１、Ｄ２はダイオードである。ダイオードＤ１の一端には、調整用ＯＳＤ信号発生回路１１からのＹｓ信号が入力され、ダイオードＤ１、Ｄ２の共通接続点は、ＲＧＢ信号処理回路６２に接続されている。なお、調整用ＯＳＤ信号発生回路１１からのＲＧＢ信号もＲＧＢ信号処理回路６２に入力される。
【００２４】
図４の回路の動作を以下に簡単に説明する。ツェナーダイオードＺＤの特性により、電源電圧＋Ｖｃｃ２が低下すると、トランジスタＴｒはオフとなり擬似的にＹｓ（Ｖｙ）信号が出力される。通常はトランジスタＴｒはオンとなっており、トランジスタＴｒのコレクタは、グラウンド（ＧＮＤ）レベルとなる。Ｖｙ信号が出力されると、この信号はＲＧＢ信号処理回路６２に入力され、ＣＰＴ５０の表示画面は画面をミュート状態にしたのと同様に真っ黒となる。すなわち、＋Ｖｃｃ２の電源ラインでヒューズ切れが生じた場合は、映像をミューティングすることにより、ヒューズ切れの検出を容易に行えることになる。
【００２５】
なお、調整用ＯＳＤ信号発生回路１１からＹｓ信号が出力された場合も、ダイオードＤ１を介してＶｙ信号がＲＧＢ信号処理回路６２に入力されることになる。この場合は、調整用ＯＳＤ信号発生回路１１からのＲＧＢ信号がＲＧＢ信号処理回路６２内の図示せぬ上記切換回路を介してＣＰＴ５０に供給される。
【００２６】
本実施の形態によれば、ポンプアップ電圧の電源ライン保護ヒューズが切れていたとしても、それを容易に検知することが出来る。
【００２７】
なお、一般家庭の商用電源は、落雷等により瞬時電圧低下が発生することがある。投射型テレビジョン受像機のコンバーゼンス補正信号発生回路１０では通常デジタル信号処理がなされており、この瞬時電圧低下により誤動作が発生してコンバーゼンス出力回路２０の増幅回路２１に損傷を与える恐れがある。しかしながら瞬時電圧低下発生時はポンプアップ電圧である＋Ｖｃｃ２も同時に瞬時電圧低下を起こすため、本実施の形態を利用することでコンバーゼンス補正信号発生回路１０での瞬時電圧低下による誤動作がコンバーゼンス出力回路２０の増幅回路２１に損傷を与えるといったことを防ぐことが可能である。
【００２８】
この発明は上述した実施の形態に限定されるものではなく、種々変形が可能であることは言うまでもない。
【００２９】
【発明の効果】
以上説明したように、この発明によれば、ポンプアップ電圧の電源ライン保護ヒューズが切れていたとしても、それを容易に検知することが可能なコンバーゼンス出力装置を提供することが出来、有用である。
【図面の簡単な説明】
【図１】本発明になるコンバーゼンス出力回路の一実施の形態を示す回路ブロック図。
【図２】図１の装置のコンバーゼンス出力回路からのコンバーゼンス出力と電源電圧との関係を説明するための波形図。
【図３】図１の装置のコンバーゼンス出力回路からのコンバーゼンス出力と電源電圧との関係を説明するための波形図。
【図４】図１の装置の減電圧検出回路及びＯＲ回路の一実施の形態を示す回路図。
【符号の説明】
１０：  コンバーゼンス補正信号発生回路
２０：  コンバーゼンス出力回路
３０、４０：  電源切換回路
５０：  カラーピクチャーチューブ
５１：  コンバーゼンスヨーク
６０：  減電圧検出回路
６１：  ＯＲ回路
６２：  ＲＧＢ信号処理回路
【図１】
2004207792.tif 000003
【図２】
2004207792.tif 000004
【図３】
2004207792.tif 000005
【図４】
2004207792.tif 000006